(57)【要約】      （修正有）【課題】実用性及び利便性に優れている食品を収納するための食品用容器を提供する。【解決手段】食品用容器は、箱体１０と、２つの取っ手２０、２０Ａと、蓋３０を有し、該箱体１０の内部に収納空間が形成され、該２つの取っ手２０、２０Ａはそれぞれ、Ｕ字形を呈するように箱体１０の両側に連接され、箱体１０と連接する箇所が湾曲可能であり、該各取っ手２０、２０Ａに係合構造２４が設けられ、該２つの取っ手２０、２０Ａが係合構造２４により互いに組み合わされ、該蓋３０は、箱体１０をカバーするように、該箱体１０に連接され、該箱体１０と連接する箇所が湾曲可能であり、そのうち、箱体１０が、一方の取っ手２０Ａに囲まれた部分に設けられると共に、蓋３０が、他方の取っ手２０に囲まれた部分に設けられる。【選択図】図１
0003214341.tif 000002
【実用新案登録請求の範囲】
【請求項１】
内部に収納空間が形成される箱体と、
それぞれがＵ字形を呈するように前記箱体の両側に連接され、それぞれの箱体と連接する箇所が湾曲可能であり、それぞれに係合構造が設けられ、該係合構造により組み合わされる、２つの取っ手と、
前記箱体をカバーするように、該箱体に連接され、該箱体と連接する箇所が湾曲可能である蓋と、を有し、
前記箱体が、一方の取っ手に囲まれた部分に設けられると共に、前記蓋が、他方の取っ手に囲まれた部分に設けられることを特徴とする、
食品用容器。
【請求項２】
前記２つの取っ手は、長さの異なる長い取っ手及び短い取っ手であり、前記蓋は、長い取っ手に囲まれた部分に設けられ、前記箱体は、短い取っ手に囲まれた部分に設けられることを特徴とする請求項１に記載の食品用容器。
【請求項３】
前記長い取っ手の両端における、箱体と連接した連接箇所の近傍にそれぞれ折り線が形成され、そのうち、一方の折り線と連接箇所との距離は、他方の折り線と連接箇所との距離と同一であることを特徴とする請求項２に記載の食品用容器。
【請求項４】
前記長い取っ手及び短い取っ手の少なくとも一端、かつ該長い取っ手の連接箇所の近傍にそれぞれ係止構造が設けられ、該２つの係止構造は、長い取っ手の連接箇所の両側に位置し、互いに組み合わされる構造であることを特徴とする請求項３に記載の食品用容器。
【請求項５】
前記係合構造は、互いにしっかりと組み合わされると共に、取っ手にそれぞれ設けられる凹凸構造であることを特徴とする請求項１乃至４の何れか１項に記載の食品用容器。
【考案の詳細な説明】
【技術分野】
【０００１】
本考案は、特に食品を収納するための食品用容器に関するものである。
【背景技術】
【０００２】
既存の食品用容器は、例えば、日本の実用新案公開第昭５６−５９５１０号（以下、文献１と称す）に開示されており、本体と、２つの蓋と、２つの取っ手を有し、そのうち、２つの蓋は、本体の両側に連接され、該本体と蓋との連接方向を第一方向とし、該２つの取っ手は、反対方向に延出するように本体の相対する両側に連接され、該２つの取っ手と本体との連接方向を第二方向とし、該第一方向と第二方向とは互いに垂直する方向に位置する。この構造によれば、既存の食品用容器を使用する時、蓋を折り曲げて本体をカバーし、更に２つの取っ手を折り曲げて互いに組合せれば、持ち運びやすくなる。
【０００３】
また、もう１つの既存の食品用容器は、例えば、日本の実用新案公開第昭６０−９６２３７号（以下、文献２と称す）に開示されるように、その構成は殆ど文献１と同一であるが、２つの取っ手が第一方向に沿って互いに組み合わされることにより、持ち手を構成することができる。
【０００４】
さらに他の、既存の食品用容器は、例えば、日本の実用新案第３０６８８２４号（以下、文献３と称す）に開示されるように、本体と、蓋と、２つの取っ手を有し、使用する時に２つの取っ手を互いに組み合わせれば、蓋を開けることができるものである。
【０００５】
また、更に他の既存の食品用容器は、２つの取ってを組み合せてから本体に対して折り曲げることにより、取っ手を取り外さなくても蓋を開けて、本体の内部の物を取ることができる。
【考案の概要】
【考案が解決しようとする課題】
【０００６】
既存の食品用容器は、食品を収納することができる。しかしながら、その文献１における食品用容器は、２つの取っ手を互いに組合わせて持ち運びやすくしたものであるが、この構造では、該２つの取っ手を本体に対して折り曲げることができないと共に、蓋を開けることもできない。このため、該２つの取っ手を取り外さなければ、本体の内部のものを取り出すことができないので、使用上非常に不便であり、改良する必要があった。
【０００７】
さらに、文献２によれば、２つの取っ手を互いに組み合わせることはできるが、文献１と同じく蓋を開けることはできないことから、使用上非常に不便であるという問題があった。
【０００８】
文献３では、その蓋と本体とが一体に連接されるものではないことから、製造する時、それぞれの金型を用いて個別に製造しなければならないので、製造上非常に面倒であり、製造コストも高かった。
【０００９】
前記更に他の既存の食品用容器は、２つの蓋を備え、該２つの蓋が本体にカバーされると、該２つの蓋との間に隙間ができることから、蓋の形状を変更することができなく、長さのある物を収納ができないので、使用上の制限があった。
【課題を解決するための手段】
【００１０】
本考案に係る食品用容器は、内部に収納空間が形成される箱体と、それぞれがＵ字形を呈するように前記箱体の両側に連接され、それぞれの箱体と連接する箇所が湾曲可能であり、それぞれに係合構造が設けられ、該係合構造により組み合わされる、２つの取っ手と、
前記箱体をカバーするように、該箱体に連接され、該箱体と連接する箇所が湾曲可能である蓋、を有し、前記箱体が、一方の取っ手に囲まれた部分に設けられると共に、前記蓋が、他方の取っ手に囲まれた部分に設けられるものである。
【００１１】
かかる食品用容器において、前記２つの取っ手は、長さの異なる長い取っ手及び短い取っ手であり、前記蓋は、長い取っ手に囲まれた部分に設けられ、前記箱体は、短い取っ手に囲まれた部分に設けられることが好ましい。
【００１２】
かかる食品用容器において、前記長い取っ手の両端における、箱体と連接した連接箇所の近傍にそれぞれ折り線が形成され、そのうち、一方の折り線と連接箇所との距離は、他方の折り線と連接箇所との距離と同一であることが好ましい。
【００１３】
かかる食品用容器において、前記長い取っ手及び短い取っ手の少なくとも一端、かつ該長い取っ手の連接箇所の近傍にそれぞれ係止構造が設けられ、該２つの係止構造は、長い取っ手の連接箇所の両側に位置し、互いに組み合わされる構造であることが好ましい。
【００１４】
かかる食品用容器において、前記係合構造は、互いにしっかりと組み合わされると共に、取っ手にそれぞれ設けられる凹凸構造であることが好ましい。
【考案の効果】
【００１５】
本考案の食品用容器は、２つの取っ手を組み合わせても箱体に対して湾曲できることから、蓋を開けることができるので、使用者が簡単に箱体内部のものを取り出すことができる。さらに、本考案に係る食品容器は、１つの蓋しか設置せず、蓋が箱体の形状に応じて形成されることから、大きなサイズや長い物を収納することもできるので、利便性及び実用性に優れている。
【図面の簡単な説明】
【００１６】
【図１】本考案に係る食品用容器の斜視図である。
【図２】本考案に係る食品用容器において、蓋が箱体をカバーした状態を示す斜視図である。
【図３】本考案に係る食品用容器において、２つの取っ手を組み合わせた状態を示す斜視図である。
【図４】本考案に係る食品用容器において、２つの取っ手を一側へ倒した状態を示す斜視図である。
【図５】本考案に係る食品用容器において、物を収納した状態を示す説明図である。
【考案を実施するための形態】
【００１７】
本考案に係る食品用容器は、図１及び図２に示すように、一体成形の構成であり、箱体１０と、２つの取っ手２０、２０Ａと、蓋３０を有する。該箱体１０は、断面円形または方形を呈し、その内部に収納空間１１が形成される。該各取っ手２０、２０Ａは、Ｕ字形を呈し、箱体１０の両側に連接され、該各取っ手２０、２０Ａにおける箱体１０と連接した箇所は、図１に示した湾曲可能な連接箇所２２であり、該２つの取っ手２０、２０Ａは、長さの異なるものであってもよく、そのうち、一方は、長い取っ手２０であり、他方では、短い取っ手２０Ａである。
さらに、該２つの取っ手２０、２０Ａにそれぞれ係合構造２４が設けられる。この構造によれば、係合構造２４により、該２つの取っ手２０、２０Ａを折り曲げて互いに組み合せることができる。この係合構造２４は、取っ手２０、２０Ａにそれぞれ設けられた凹凸構造であり、取っ手２０、２０Ａを箱体１０に対して折り曲げる場合は、凹凸構造である係合構造２４により互いにしっかりと組み合わせることにより、使用者に持ちやすい持ち手を提供することができる。
【００１８】
さらに、前記長い取っ手２０の両端にある２つの連接箇所２２の近傍にそれぞれ折り線２６が形成される。そのうち、一方における折り線２６と連接箇所２２との距離は、他方における折り線２６と連接箇所２２との距離と同一であり、該長い取っ手２０は、連接箇所２２により箱体１０に対して折り曲げてから折り線２６で折り返す。この時、長い取っ手２０が短い取っ手２０Ａに重ねて係合構造２４により互いに組み合わされる。
また、前記長い取っ手２０及び短い取っ手２０Ａにおける、対応する少なくとも一端、かつ該長い取っ手２０の連接箇所２２の近傍にそれぞれ係止構造２７、２８が設けられ、該２つの係止構造２７、２８は、長い取っ手２０の連接箇所２２の両側に位置するように設けられ、該係止構造２７、２８は、互いに組み合わせることができる。また、前記係止構造２７、２８はそれぞれ、長い取っ手２０の連接箇所２２との距離が同一であり、それによれば、長い取っ手２０を連接箇所２２を介して箱体１０に対して折り曲げると、係止構造２７、２８を互いに係合することができる。
【００１９】
前記蓋３０は、箱体１０をカバーするように箱体１０に連接され、箱体１０と連接した箇所が湾曲可能であり、長い取っ手２０に囲まれた部分に形成される。前記箱体１０は、短い取っ手２０Ａに囲まれた部分に形成され、該蓋３０の形状は、箱体１０に応じた断面円形または方形を呈する。
この構成によれば、製造する時、箱体１０と、蓋３０と、取っ手２０、２０Ａとの間の部分しか廃棄材料にならないので、廃棄材料を大幅に減少させて材料を有効的に利用することができる。
【００２０】
使用する場合は、図２及び図３に示すように、例えば、食品や果物などのものを、箱体１０の収納空間１１に入れてから、蓋３０で箱体１０をカバーして密封する。そして、２つの取っ手２０をそれぞれ、連接箇所２２を介して箱体１０に対して折り曲げてから、折り線２６を介して折り返せば、長い取っ手２０と短い取っ手２０Ａとの長さがほぼ同一となることから、係合構造２４により互いに組み合させることができる。この時、長い取っ手２０は、図３に示すように、折り線２６が短い取っ手２０Ａの連接箇所２２に重なってから、２つの取っ手２０が縦方向に持ち上げると、使用者に持ちやすい持ち手となり、簡単に食品用容器を持つことができる。
【００２１】
一方、使用者が箱体１０に収納しているものを取り出す場合には、図４に示すように、２つの取っ手２０、２０Ａを長い取っ手２０の折り線２６で右側または左側に水平状態に倒せば、図５に示すように、箱体１０を開けて、箱体１０に収納しているものを取り出すことができる。
【００２２】
図４に示すように、本考案に係る食品用容器における２つの取っ手２０、２０Ａが重なって箱体１０に対して一側へ倒れた状態においては、複数の食品用容器を積み重ねることができるので、収納空間を節約することができる。また、箱体１０に収納しているものが液体の食品である場合には、図５に示すように、１つの蓋３０を設置すればよく、この構造の場合、使用者が蓋３０を開ければ、該箱体１０における、蓋３０と反対する側から、スープや、飲み物などの液体を飲むことができるので、実用性及び利便性に優れている。
【符号の説明】
【００２３】
１０  箱体
２０、２０Ａ  取っ手
２２  連接部
２４  係合構造
２６  折り線
２７、２８  係止構造
３０  蓋
【図１】
0003214341.tif 000003
【図２】
0003214341.tif 000004
【図３】
0003214341.tif 000005
【図４】
0003214341.tif 000006
【図５】
0003214341.tif 000007